(57)【特許請求の範囲】
【請求項１】
側壁（２）及び底壁（３）に複数の孔（５）を設け、上縁（４）に三角形状の切込み部（６）を設けた栽培容器（１）に、用土（Ｓ）及び植物（Ｔ）を入れて植物（Ｔ）を定植する第１のプロセスと、
上記栽培容器（１）を植えるために掘られた植え穴（Ｈ）に、上記栽培容器（１）を植える第２のプロセスと、
上記植物（Ｔ）が生長して花・実を実らせるまで待つ第３のプロセスと、
上記切込み部６を通って栽培容器の周囲の土壌（Ｇ）に延出した太根Ｂｉを根切りする第４のプロセスとを含んで構成されることを特徴とする植物生長調節方法。
【請求項２】
上記第４のプロセスにおいて、根切りをすると共に、剪定を行い、幹枝と根の最適なバランスをとることを特徴とする請求項１記載の植物生長調節方法。
【請求項３】
上記第４のプロセスにおいて、根切りをした後に、施肥することを特徴とする請求項１記載の植物生長調節方法。
【請求項４】
側壁（２）、底壁（３）及び上縁（４）により鉢状に構成される栽培容器（１）において、
側壁（２）及び底壁（３）に複数の孔（５）が設けられ、
上縁（４）に複数の切込み部（６）が設けられ、
上記切込み部（６）は、上縁（４）を一辺として、左側辺（６ｃ）、右側辺（６ｂ）及び最下頂点（６ａ）からなり、三角形状に構成されることを特徴とする植物生長調節方法の実施に使用するための植物栽培容器。
【発明の詳細な説明】
【技術分野】
【０００１】
本発明は、植物の栽培方法及びそれに用いる植物栽培容器に関し、特に、草花、樹木等の植物の生長を調節すると共に、その花・実をより多く実らせる方法及びそれに用いる植物栽培容器に関する。
【背景技術】
【０００２】
従来より、草花、樹木等の植物栽培では、地面に植物を直接植える栽培方法と、鉢等の栽培容器において植物を栽培する容器栽培方法が広く行われている。そして、容器栽培方法において、植物の生長を適切に調整したり、移植を容易にできるようにするために、特開平６−２５３６９４号公報及び特開２０００−５０７４１号公報に開示されているように、栽培容器の側壁や底壁に複数の孔を開けて、根のルーピングを防止したり、直根及びそこから伸びる太い枝根の育成を防止し、細根を育成すること等が行われている。
【０００３】
しかし、上記のような地面に直接植える栽培方法においては、以下のような問題点があった。即ち、
（１）植物の生長が望むより早く、繁茂することが多いため、その植物が邪魔になったり、適切に管理するのが難しかったりした。例えば、キウイ、藤、モッコーバラ等は１年に２−３ｍ以上も伸び、ギンヨウアカシア、ハクレン、ザクロ等は１年に５０ｃｍ−１ｍ以上伸びる。また、ザクロ、アジサイ、カキ等は、成長しすぎた際に剪定を行うとその次の年には花・実を付けない。梅、桜等の一般の庭木についても、毎年剪定しても根を切らなければ、徐々に植物が全体に大きくなり、管理が厄介になる。
（２）成長の過程で太い根が多く地中に張り出すことになるため、移植の際及び移植後の活着において非常な困難を来していた。
（３）植物の種類によっては、適切に剪定、根切り等を行わなければ、花・実を実らせないことがあった。例えば、レモン、山桃等は、単に植えたままであると中々実をならすことがない。
【０００４】
一方で、上記従来技術に係る栽培容器、即ち、側壁等に孔の開いた栽培容器を利用した容器栽培においては、地面に伸び出す直根や太根がなく、栽培容器内の栄養及び水分と孔から延出した細根が吸収する栄養及び水分のみによって植物が生長することとなり、植物が根から十分な水分と栄養を取ることができないため、年月が経つと植物がしばしば貧弱なままになってしまうことがあり、花・実が余り実らないことがあった。
【０００５】
【特許文献１】特開平６−２５３６９４号公報
【特許文献２】特開２０００−５０７４１号公報
【発明の開示】
【発明が解決しようとする課題】
【０００６】
従って、本発明の目的は、植物の生長を適度に調節すると共に、その花・実をより多く実らせることである。また、剪定や移植を容易にし、植物を適切に管理できるようにすることも本発明の目的である。
【課題を解決するための手段】
【０００７】
本願に係る発明である植物生長調節方法は、以下のプロセスからなることを第１の特徴とする。即ち、側壁及び底壁に複数の孔を設け、上縁に三角形状の切込み部を設けた栽培容器、用土並びに植物を準備して、上記栽培容器に上記用土及び植物を入れて植物を定植するプロセスと、上記栽培容器を植えるために掘られた植え穴を掘り、その植え穴に上記栽培容器を植えるプロセスと、上記植物が生長して花・実を実らせるまでの期間待つプロセスと、上記切込み部から延出した太根を根切りするプロセスである。
【０００８】
そして、根切りする際に、それと共に剪定を行い、幹枝と根の最適なバランスをとることを第２の特徴とする。
【０００９】
また、根切りをした後に、施肥することを第３の特徴とする。
【００１０】
更に、上記の果実が実るまで待つプロセスと根切りプロセスを毎年反復することにより、植物の花・実を得ることを第４の特徴とする。
【００１１】
本願に係る発明である植物生長調節方法の実施に用いられる植物栽培容器は、側壁、底壁及び上縁により鉢状に構成され、側壁及び底壁に複数の孔が設けられ、上縁に複数の切込み部が設けられ、上記切込み部は、上縁を一辺として、左側辺、右側辺及び最下頂点からなり、三角形状に構成されることを特徴とする。
【発明の効果】
【００１２】
上記構成により、樹木、草花等の植物の生長を適度に調節することができると共に、その花・実をより多く実らせることができる。特に、植物は根切りを行うと花・実を実らせる性質があるので、根切りと同時に施肥すれば、植物も弱らずに沢山の花・実をつけることができる。
【００１３】
また、植物の生長を適度に調節できるので、剪定作業が軽減でき、また、例えば街路樹等が歩道等を壊すことを防止することを助ける。
【００１４】
更に、太い根が地中に張り出していることもなく、切込み部から延出しているだけなので、根切り作業が容易になる上に、移植時の作業負担が軽減され、しかも、栽培容器内の根は概ね保存され、かつ、孔によりルーピングを防止するので、移植後の活着を容易にすることができる。
【発明を実施するための最良の形態】
【００１５】
以下では、本発明の実施例を説明する。
【００１６】
本発明の実施例として、植物Ｔの生長調節方法及びそれに用いる栽培容器１を図１乃至図１２に沿って説明する。まず、本発明に係る植物生長調節方法に用いる栽培容器１を、図１及び２に従って説明する。栽培容器１は、側壁２、底壁３、上縁４、孔５、切込み部６からなり、鉢状に形成されている。図１及び図２では、正面から見て逆さ台形、上面から見て円形の栽培容器１が図示されているが、植物Ｔを入れることのできる鉢状であればこのような形に限定されない。栽培容器１の大きさは、植物の種類や植物をどの程度まで生長させ調節したいかによって異なる。栽培容器１の素材は、プラスティック、グラスファイバー、ステンレス等の丈夫で風化しない素材を用いる。
【００１７】
孔５は、栽培容器１の側壁２及び底壁３に任意に複数穿設される。孔５は、植物を植えつけた後、その植物の細根Ｓｍが孔５を通って栽培容器１の周囲の土壌Ｇ中に延出できるようにするために設けられる。
【００１８】
切込み部６は、植物Ｔの太根Ｂｉを栽培容器１外の土壌Ｇに延出させるために設けられる。上記切込み部６は、栽培容器１の上縁４に切り込みを入れ、略等間隔で４〜１０箇所程度設けられる。そして、栽培容器１の上縁４を一辺として、左側辺６ｃ、右側辺６ｂ及び最下頂点６ａから成り、三角形状に構成される。切込み部６を正方形、長方形、縦に細長い長方形、円形等にすることも考えられるが、それらの場合、植物Ｔの太根の生長に従って切込み部６が押し広げられ、栽培容器１を破壊し得るので、切込み部６の形は三角形が望ましい。また、切込み部６を三角形にすれば、栽培容器１から延出する太根Ｂｉが、切込み部６において自由に太くなったり伸びたりすることができる。切込み部６の最下頂点６ａの内角Ｍは、根の延出の弱い植物Ｔであれば４５度未満、場合によっては３０度以下でもよい。しかし、切込み部６から延出する太根Ｂｉによる切込み部６を押し広げる力が強く、太根Ｂｉの生長に従って切込み部６を破壊してしまうような場合については、最下頂点６ａの内角Ｍが４５度以上の切込み部６とするのが望ましい。切込み部６の高さＬ１は、栽培容器１の高さＬに比して、略１／４〜１／６とする。なお、図示はしていないが、ジュース等のカンの飲み口のように、引き裂けば栽培容器１の上縁４が切り開かれて切込み部６になるように、上縁４からの垂下線を溝加工する等して構成してもよい。
【００１９】
この点、例えば、上記のような切込み部６を設けない栽培容器を用いて栽培すると、栽培容器１の上縁４を越えて栽培容器の周囲の土壌Ｇに根が延出するが、少しの期間でも雨が降らない時期があると、地表面の乾燥による水不足によって枯れてしまった。また、切込み部６がない栽培容器１を地中深くに植えて、栽培容器１の上縁４を越えて栽培容器の周囲の土壌Ｇに根を延出させてみたところ、どの程度根切りを行うかの調整が難しく、根切りの際に、栽培容器１周囲の土壌Ｇを全部掘ってみないと延出している根の具合がよく分からないので、栽培容器１の周囲であって太根Ｂｉの周囲に当たる部分の土壌のみを掘るだけでは根切りを適切に行えなかった。更に、定植して長期間経つと、栽培容器１の上縁４で団子状の根になってしまうことがあり、根切りに困難を来すことがあった。
【００２０】
次に、植物Ｔの生長調節方法のプロセスについて、図３乃至図９に従って説明する。第１のプロセスは、上記した栽培容器１と、栽培容器１の中に入れる用土Ｓと、栽培する植物Ｔを準備するプロセスである。用土Ｓは、栽培容器の周囲の土壌Ｇと同様のものを使用しても良いが、市販されている赤玉土、黒土、山砂、腐葉土、ピートモス等の基本用土を適当にブレンドして、適度な水分を含み、通気性があって、水はけがよく、養分を保持できる土を作り、用いるのが望ましい。栽培する植物Ｔは、山桃、キウイ、藤、モッコーバラ、フサアカシア、ギンヨウアカシア、ハクレン、ザクロ、アジサイ、カキ、レモン、梅、桜等の木を準備する。
【００２１】
第２のプロセスを図３及び図４に従って説明する。第２のプロセスは、栽培容器１に、植物Ｔと用土Ｓを入れて、植物を定植するプロセスである。具体的には、図３に示されるように、栽培容器１に、用土Ｓを栽培容器１の高さＬの約１／２〜１／３程度まで入れる。その後、容器内に向かう方向を示す矢印Ａに沿って、植物Ｔを栽培容器１の中に降ろし、用土Ｓを用いて、植物Ｔの根Ｒを埋める。できる限り、栽培容器１の上縁４と同じ高さまで用土Ｓで満たすようにする。このときの状態を示した図が図４である。図４では、植物の根Ｒの上縁が、栽培容器１の上縁４と同じ高さになるように植物Ｔを定植している状態を示しているが、この態様に限定されるものではなく、定植してしばらくは細根がまだ延出せず、短期の乾燥で枯死する場合や、風で植物が倒れる場合があるので、図４の場合より植物の根Ｒを深く埋める場合もある。例えば、植物Ｔの根Ｒの上縁が、切込み部６の最下頂点６ａと同じ高さになるように植物を定植したりする。なお、切込み部６を切り開くことを要する栽培容器１である場合には、このプロセスの過程で、栽培容器１の上縁４に設けられ、溝加工された上縁４からの垂下線を切り開いて切込み部６を形成する。
【００２２】
第３のプロセスは、植物Ｔを定植した栽培容器１を植えるために、地面に植え穴Ｈを掘るプロセスである。植え穴Ｈは、栽培容器１の高さＬの２倍程度の深さまで掘り、植え穴Ｈと土壌Ｇを空気にさらす。そして、栽培容器１の高さＬと同程度まで土を植え穴Ｈの中に盛り込む。
【００２３】
第４のプロセスを図５及び図６に従って説明する。第４のプロセスは、植物Ｔを定植した栽培容器１を植え穴Ｈに植えるプロセスである。図５に示されているように、植物Ｔが定植された栽培容器１を、地中に向かう方向を示す矢印Ｂに沿って、植え穴Ｈの中に降ろす。そして、植え穴Ｈに土を盛り入れて、栽培容器１の上縁４が地面と同じ高さになるように埋める。植物Ｔを定植された栽培容器１を地面に植え付けた状態を示した図が図６である。
【００２４】
第５のプロセスは、植物Ｔが生長して花・実を実らせるまでの期間の経過を待つプロセスである。通常、栽培容器１に入れられた植物Ｔが地面に定植されてから半年乃至１年程度経過すると、植物Ｔは、栽培容器１の孔５を通って細根Ｓｍを栽培容器の周囲の土壌Ｇに延出させ、栽培容器１の切込み部６を通って太根Ｂｉを栽培容器の周囲の土壌Ｇに延出させ、栽培容器１の周囲の土壌Ｇから水分と栄養を得るようになり、生長して花・実を実らせる。実が適度に実ったら、それを収穫等する。その時の状態を示した栽培容器１の断面図が図７であり、それの斜視図が図８である。後述する根切りをした後にも同様の期間経過させる。なお、このプロセスの期間に、肥料を施肥する。
【００２５】
第６のプロセスを図９に従って説明する。第６のプロセスは、根切り及び、場合によっては剪定を行うプロセスである。上記第５のプロセスを経て植物Ｔをある程度生長して花・実を実らせた後、栽培容器１の周囲の土壌Ｇを栽培容器１の高さＬの約１／４〜１／６程度の深さを掘り込み、栽培容器１の切込み部６から延出する太根Ｂｉを切込み線Ｃｔのように切り取る。図９では、栽培容器１の周囲全部の土壌Ｇを掘り込んでいるが、栽培容器１周囲であって太根Ｂｉの周囲に当たる部分の土壌のみを掘り込むだけでもよい。このときに、植物Ｔの乾燥や枯死防止のために、孔５から延出している細根Ｓｍは切らずにそのままにしておく。太根Ｂｉへの切込みの大きさ、切込みの数、何本の太根Ｂｉを切るか、いつ切るか等々は、栽培容器１の大きさ、切込み部６の大きさ及び数、孔５の数及び直径等々に応じて異なる。そして、この際に剪定等も行えば、幹枝と根の最適なバランスを取ることが出来る。また、この際に、上記肥料を施肥すれば、植物Ｔは根切りをすると花・実を従来より沢山実らせる性質があるので、生き生きとした植物Ｔを維持することができ、小さな植物でも花・実をつけることが容易となる。
【００２６】
以上の第１から第６までのプロセスを流れ図にしたものは図１２に示されている。第５及び第６のプロセスは、移植するか植物Ｔが枯死するか、不要になる等ならない限り、毎年反復する。これらを反復し続ければ、植物Ｔも元気であり、沢山の花・実を毎年得ることができる。
【００２７】
以上のプロセスによって栽培する植物Ｔを移植する場合における移植プロセスを、図１０に従って説明する。植物Ｔがある程度生長して栽培容器１の切込み部６を通って太根Ｂｉが延出し、栽培容器１の孔５を通って細根Ｓｍが延出し、栽培容器１の周囲の土壌Ｇに根が張っている植物Ｔを移植する場合、栽培容器１の周囲の土壌Ｇを栽培容器１の高さＬと同程度の深さを掘り込み、栽培容器１の切込み部６を通って延出する太根Ｂｉを切込み線Ｃｔにおいて切り取る。その後、植物Ｔの定植された栽培容器１を、地上に向かう方向を示す矢印Ｃに沿って持ち上げ、移植先に搬送して移植する。
【００２８】
前段落で説明したような移植の方法以外に、図１１に示されるような方法を用いてもよい。即ち、植物Ｔの定植された栽培容器１を植え穴Ｈに植える際に、両端に吊り上げロープ留め具８が付けられ、丈夫で地中にあって劣化しにくい１本又は複数本のバンドを、栽培容器１の底に敷き、栽培容器１を包むようにして吊り上げロープ留め具８を地表に出すように設定しておく。そして、移植の際には、クレーンＫ等と吊り上げロープ留め具８をロープ９で繋ぎ、栽培容器１を地中から吊り上げる。栽培容器１の切込み部６を通って延出する太根Ｂｉは、図１１に示されるように吊上げる前に切り落としておく。この方法では、前段落で示したような栽培容器を掘り上げる方法よりも、作業が簡単であり、植物Ｔの根Ｒを痛めない。
【実施例１】
【００２９】
第１実施例として、植物Ｔに山桃を用いた。山桃の生長調節方法の実施に用いた栽培容器１は、側壁２、底壁３、上縁４、孔５、切込み部６からなり、鉢状に形成されている。栽培容器１は、正面から見ると逆さ台形、上面から見ると円形の形とした。山桃は、１５ｍ程度の高さにまで成長する植物であるが、山桃を地表からの高さ２ｍ程度としたかったので、栽培容器１の底壁２の直径を５０ｃｍ、栽培容器の高さＬを６０ｃｍの大きさとした。栽培容器１の素材については、プラスティックを用いた。１ｍｍ程度の直径を有する孔５を、栽培容器１の側壁２及び底壁３に、任意に１００箇所程度穿設した。切込み部６は、栽培容器１の上縁４に切込みを入れ、ほぼ等間隔で６箇所設けた。切込み部６の最下頂点６ａの内角Ｍは、４５度とした。切込み部６の高さＬ１は１２ｃｍとした。
【００３０】
次に、山桃の生長調節方法のプロセスについて説明する。第１のプロセスは、上記栽培容器１と、栽培容器１の中に入れる用土Ｓと、栽培する山桃を準備するプロセスである。用土Ｓは、保水、保肥、通気性及びＰＨ等を考慮して、赤玉土のような大粒の土粒を有する用土を用いた。栽培する植物Ｔは、山桃の木を準備した。
【００３１】
第２のプロセスは、栽培容器１に、山桃と用土Ｓを入れて、山桃を定植するプロセスである。まず、栽培容器１に、用土Ｓを栽培容器１の底から２０ｃｍの高さまで入れた。その後、容器内に向かう方向を示す矢印Ａに沿って、山桃を栽培容器１の中に降ろし、用土Ｓを用いて、山桃の根Ｒを埋めた。その際、乾燥による枯死又は風で倒れるのを防ぐために、根Ｒの上縁を、切込み部６の最下頂点６ａと同じ高さにした。更に、できる限り、栽培容器１の上縁４と同じ高さまで用土Ｓで満たすようにした。
【００３２】
第３のプロセスは、山桃を定植した栽培容器１を植えるために、地面に植え穴Ｈを掘るプロセスである。植え穴Ｈは、地表から１ｍの深さまで掘り、植え穴Ｈと土壌Ｇを空気にさらしてから、植え穴Ｈの底から６０ｃｍの高さまで土を植え穴Ｈの中に盛り込んだ。
【００３３】
第４のプロセスは、山桃を定植した栽培容器１を植え穴Ｈに植えるプロセスである。図５に示されているように、山桃が定植された栽培容器１を、地中に向かう方向を示す矢印Ｂに沿って、植え穴Ｈの中に降ろした。そして、植え穴Ｈに土を盛り入れて、栽培容器１の上縁４が地面と同じ高さになるように埋めた。第１乃至第４までのプロセスは、日本の関東地方で４月頃に行った。
【００３４】
第５のプロセスは、山桃が生長して花・実を実らせるまでの期間の経過を待つプロセスである。栽培容器１に入れられた山桃が地面に定植されてからほぼ６ヶ月経過すると、山桃は、栽培容器１の孔５を通って細根Ｓｍを延出させ、栽培容器１の切込み部６を通って太根Ｂｉを延出させ、栽培容器１の周囲の土壌Ｇから水分と栄養を得るようになり、生長して花・実を実らせた。山桃を定植した初年においては、山桃の実がおおよそ５〜６個程度なったので、それを収穫した。後述する根切りをした後にも同様の期間経過させ、生長させた。なお、このプロセスの期間、例えば、５月頃に、油カス、骨粉等を配合した肥料を１００ｇ程度施肥する。
【００３５】
第６のプロセスは、根切り、剪定及び施肥を行うプロセスである。上記第５のプロセスを経て山桃を生長させて花・実を実らせた後、栽培容器１周囲であって太根Ｂｉの周囲に当たる部分の土壌を地表から１３ｃｍの深さを掘り込み、栽培容器１の切込み部６から延出する太根Ｂｉを切込み線Ｃｔのように切り取った。この根切りは冬に行った。このときに、植物Ｔの乾燥や枯死防止のために、孔５から延出している細根Ｓｍは切らずにそのままにしておいた。この際に剪定等も行い、上記肥料を施肥した。
【００３６】
第５及び第６のプロセスは、移植するか植物Ｔが枯れる等しない限り、毎年反復した。上記の如く、定植した初年は山桃の実が５〜６個なる程度であるが、２年目以降からは、２０〜３０個程度の山桃の実を取ることができた。山桃は、単に地面に直接植えるだけでは、中々実をつけることがなく、小さな山桃の木であると尚更実をつけることがないが、上記のような本発明に係る植物生長調節方法によれば、山桃の生長を調節しつつ、山桃の実を豊かにならせることができる。
【００３７】
山桃がある程度生長して栽培容器１の切込み部６を通って太根Ｂｉが延出し、栽培容器１の孔５を通って細根Ｓｍが延出し、栽培容器１の周囲の土壌Ｇに根が張っていた山桃を移植した際には、栽培容器１の周囲の土壌Ｇを地表から５０ｃｍの深さを掘り込み、栽培容器１の切込み部６を通って延出する太根Ｂｉを切込み線Ｃｔにおいて切り取り、その後、山桃の定植された栽培容器１を、図１０に示すように、地上に向かう方向を示す矢印Ｃに沿って持ち上げ、移植先に搬送して移植した。
【００３８】
前段落で説明したような移植の方法以外に、図１１に示されるような方法も用いた。即ち、山桃の定植された栽培容器１を植え穴Ｈに植える際に、両端に吊り上げロープ留め具８が付けられ、丈夫で地中にあって劣化しにくい２本のバンドを、栽培容器１の底に敷き、栽培容器１を包むようにして吊り上げロープ留め具８を地表に出すように設定しておいた。移植の際には、クレーンＫと吊り上げロープ留め具８をロープ９で繋ぎ、栽培容器１を地中から吊り上げた。栽培容器１の切込み部６から延出する太根Ｂｉは、図１１に示されるように吊上げる前に切り落としておいた。
【実施例２】
【００３９】
第２実施例として、植物Ｔにキウイフルーツを用いた。生長調節方法及び栽培容器１は第１実施例と概ね同じであるので、異なる部分に関してのみ説明し、同様の部分は第１実施例の説明を援用することとする。
【００４０】
キウイは、受粉のために、雄株と雌株を互いの近くに定植する必要があるので、雄株を雌株の近くに植えた。根切りは、６月と冬の二回行い、剪定は冬に行った。キウイは、地面に直接植えると５ｍ以上もツルが伸び、その伸びた部分を切ってしまうと花が咲かず、実もならなくなってしまった。しかし、本発明に係る植物生長調節方法、即ち、側壁２及び底壁３に直径１ｍｍの孔５を任意に１００個設け、上縁４に三角形状の切込み部６を６箇所設けた栽培容器１、用土Ｓ並びにキウイを準備して、栽培容器１に用土Ｓ及びキウイの木を入れて定植し、植え穴Ｈを掘り、その植え穴Ｈに栽培容器１を植え、キウイが生長して花・実を実らせるまでの期間待ち、切込み部６を通って延出した太根Ｂｉを根切り及び施肥する方法を用いると、ツルも多少は伸びるものの、地面に直接植えた場合に比して約１／４〜１／５程度しか伸びることがなかったので、管理するのが容易であり、花・実がならなくなることもなかった。そして、毎年１０〜２０個程度の実をならすことができた。
【実施例３】
【００４１】
第３実施例として、植物Ｔに花水木を用いた。生長調節方法及び栽培容器１は第１実施例と概ね同じであるので、異なる部分に関してのみ説明し、同様の部分は第１実施例の説明を援用することとする。
【００４２】
花水木は、春頃に花が咲き、秋頃に紅葉して実をならせ、１年に１５〜２０ｃｍ程度伸びる。直接地面に植えて栽培すると、高さが５〜１２ｍ程度にまで生長してしまった。しかし、本発明に係る植物生長調節方法、即ち、側壁２及び底壁３に直径１ｍｍの孔５を任意に１００個設け、上縁４に三角形状の切込み部６を６箇所設けた栽培容器１、用土Ｓ並びに花水木を準備して、栽培容器１に用土Ｓ及び花水木を入れて定植し、植え穴Ｈを掘り、その植え穴Ｈに栽培容器１を植え、花水木が生長して花・実を実らせるまでの期間待ち、切込み部６を通って延出した太根Ｂｉを根切り及び施肥する方法を用いると、高さ２ｍ程度までの生長に調節することができた。花水木は剪定をしてしまうと花を咲かせないので、剪定は行わなかった。また、花水木は木の上部に花を咲かせるが、上記生長調節方法によれば、２ｍ程度の高さまでしか生長しないので、一般の家屋の１階で花を鑑賞することができる。
【実施例４】
【００４３】
第４実施例として、植物Ｔにレモンを用いた。生長調節方法及び栽培容器１は第１実施例と概ね同じであるので、異なる部分に関してのみ説明し、同様の部分は第１実施例の説明を援用することとする。
【００４４】
レモンは、３ｍ程度の高さまで伸びる木である。しかし、本発明に係る植物生長調節方法、即ち、側壁２及び底壁３に直径１ｍｍの孔５を任意に１００個設け、上縁４に三角形状の切込み部６を６箇所設けた栽培容器１、用土Ｓ並びにレモンの木を準備して、栽培容器１に用土Ｓ及びレモンの木を入れて定植し、植え穴Ｈを掘り、その植え穴Ｈに栽培容器１を植え、レモンが生長して花・実を実らせるまでの期間待ち、切込み部６を通って延出した太根Ｂｉを根切り及び施肥する方法を用いると、ほとんど木は伸びることなく、しかし、沢山の花・実をつけた。但し、根切り作業において、ある年の冬に３箇所の切込み部６を通って延出する太根Ｂｉのみを切り、その次の年の冬に残りの３ヶ所の切込み部６を通って延出する太根Ｂｉを切るというように、一年に半数だけ切った。一度に６ヶ所の切込み部６を通って延出する太根Ｂｉを全部切ると、風で倒れやすくなったり、植物Ｔに負担がかかりすぎてレモン自体が弱ってしまったからである。
【実施例５】
【００４５】
第５実施例として、植物Ｔにミモザを用いた。生長調節方法及び栽培容器１は第１実施例と概ね同じであるので、異なる部分に関してのみ説明し、同様の部分は第１実施例の説明を援用することとする。
【００４６】
ミモザ又はフサアカシアは、１０〜１５ｍ程度の高さまで伸びる木である。しかし、本発明に係る植物生長調節方法、即ち、側壁２及び底壁３に直径１ｍｍの孔５を任意に１００個設け、上縁４に三角形状の切込み部６を６箇所設けた栽培容器１、用土Ｓ並びにミモザを準備して、栽培容器１に用土Ｓ及びミモザを入れて定植し、植え穴Ｈを掘り、その植え穴Ｈに栽培容器１を植え、ミモザが生長して花・実を実らせるまでの期間待ち、切込み部６を通って延出した太根Ｂｉを根切り及び施肥する方法を用いると、木の生長は２ｍ程度の高さに抑えられ、しかし、花は沢山咲いた。但し、根切りの作業において、５月に３箇所の切込み部６を通って延出する太根Ｂｉを切り、冬に別の３ヶ所の切込み部６を通って延出する太根Ｂｉを切るようにした。一度に６箇所の切込み部６を通って延出する太根Ｂｉ全部を切り取ってしまうと、枯れたり、風で倒れたりしてしまったからである。
【００４７】
なお、切込み部６が設けられていない栽培容器１にミモザを定植して、地中に植えてみたところ、かろうじて花が少し咲く程度にしか生長しなかった。
【００４８】
また、切込み部６を持たない栽培容器１の上縁４が地表から２〜３ｃｍ程度深くなるように、栽培容器１を土壌Ｓに植えてみたところ、３〜４ヶ月ほどは通常通り生長し、栽培容器１の上縁４を越えて根が延出していたが、２週間程度雨が降らない時期があった際に、地表面が乾燥してしまい、水不足によって枯れてしまった。この点、上記した栽培容器１とそれを用いたミモザ生長調節方法を用いると、栽培容器１の切込み部６を通って太根Ｂｉが延出できるので、地表面乾燥による水不足によって枯れることはなかった。
【００４９】
また、切込み部６がない栽培容器を地中深くに植えて、栽培容器１の上縁４を越えて根を栽培容器の周囲の土壌Ｇに延出させてみたところ、どの程度根切りを行うかの調整が難しかった上に、根切りの際に、栽培容器周囲の土壌を全部掘ってみないと栽培容器から延出している根の具合がよく分からなかったので、栽培容器の周囲であって太根の周囲に当たる部分のみを掘るだけでは根切りを適切に行えなかった。更に、切込み部６を持たない栽培容器１を用いて栽培した場合、定植してから数年経つと、栽培容器１の上縁４を越える所で団子状になってしまう根ができてしまい、根切りに困難を来すことがあった。
【図面の簡単な説明】
【００５０】
【図１】本発明に係る一実施例の栽培容器の正面図である。
【図２】本発明に係る一実施例において、切込み部を展開した状態を示した栽培容器の上面図である。
【図３】本発明に係る一実施例において、栽培容器に植物を入れる前の状態を示した断面図である。
【図４】本発明に係る一実施例において、栽培容器に植物を据えた状態を示した断面図である。
【図５】本発明に係る一実施例において、栽培容器に植物を据え、それを地中に埋める前の状態を示した栽培容器の断面図である。
【図６】本発明に係る一実施例において、栽培容器に植物を据え、それを地中に埋めた状態を示した栽培容器の断面図である。
【図７】本発明に係る一実施例において、植物を据えた栽培容器を地中に埋めた後、植物が生長して切込み部を通って太根が延出している状態を示した栽培容器の断面図である。
【図８】図７の斜視図である。
【図９】本発明に係る一実施例において、栽培容器の切込み部を通って延出している太根を切った状態を示した栽培容器の正面図である。
【図１０】本発明に係る一実施例において、栽培容器を地中から掘り上げている状態を示した栽培容器の正面図である。
【図１１】本発明に係る一実施例において、クレーンにより栽培容器を地中から吊り上げる状態を示した栽培容器の断面図である。
【図１２】本発明に係る一実施例における植物生長調節方法のプロセスを示した図である。
【符号の説明】
【００５１】
１      栽培容器
２      側壁
３      底壁
４      上縁
５      孔
６      切込み部
６ａ    切込み部の最下頂点
６ｂ    切込み部の右側辺
６ｃ    切込み部の左側辺
７      バンド
８      吊り上げロープ留め具
９      吊り上げロープ
Ａ      容器内に向かう方向を示す矢印
Ｂ      地中に向かう方向を示す矢印
Ｂｉ    切込み部を通って延出した太根
Ｃ      地上に向かう方向を示す矢印
Ｃｔ    切込み部を通って延出した太根を切った状態
Ｇ      栽培容器の周囲の土壌
Ｈ      植え穴
Ｋ      クレーン
Ｌ      栽培容器の高さ
Ｌ１    切込み部の高さ
Ｍ      切込み部の最下頂点の内角
Ｒ      植物の根
Ｓ      用土
Ｓｍ    孔を通って延出した細根
Ｔ      植物
【図１】
0004742374.tif 000002
【図２】
0004742374.tif 000003
【図３】
0004742374.tif 000004
【図４】
0004742374.tif 000005
【図５】
0004742374.tif 000006
【図６】
0004742374.tif 000007
【図７】
0004742374.tif 000008
【図８】
0004742374.tif 000009
【図９】
0004742374.tif 000010
【図１０】
0004742374.tif 000011
【図１１】
0004742374.tif 000012
【図１２】
0004742374.tif 000013